(57)【要約】【課題】配線作業の負担を軽減することができる収容ボックスシステム、収容ボックス及び中継ボックスを提供する。【解決手段】  上下方向及び左右方向に配列される複数のメールボックス１２の各々の上面と下面には、隣接するメールボックス１２と電気的に接続する出力コネクタ３２と入力コネクタ（不図示）とが設けられ、メールボックス１２を積み重ねるだけで、上下に隣接するメールボックス１２の出力コネクタ３２と入力コネクタとが接続され、上下方向に一列に並ぶメールボックス１２が直列に接続される。各列のメールボックス１２は左右方向に並ぶ中継ボックス上に配置され、中継ボックスを介して制御部に接続される。【選択図】図２
2019081045.tif 000002
【特許請求の範囲】
【請求項１】
複数の収容ボックスと、
前記複数の収容ボックスの動作を制御する制御部と、
前記複数の収容ボックスと前記制御部との間に配置される中継ボックスと、
を備えた収容ボックスシステムであって、
前記制御部は、ＭとＮをそれぞれ正の整数とした場合、Ｍ＋Ｎ個の接続端子を有する制御部側出力コネクタを有し、
前記中継ボックスは、
Ｍ＋Ｎ個の接続端子を有する中継ボックス側入力コネクタと、
Ｍ＋Ｎ個の接続端子を有する中継ボックス側出力コネクタと、
Ｍ＋１個の接続端子を有する中継ボックス側接続コネクタと、
を有し、
前記中継ボックス側入力コネクタは、前記制御部側出力コネクタ、及び他の前記中継ボックスの前記中継ボックス側出力コネクタと連結可能であり、
前記中継ボックス側入力コネクタのＭ＋Ｎ個の接続端子のうちＭ個の入力コネクタ側第１接続端子と、前記中継ボックス側出力コネクタのＭ＋Ｎ個の接続端子のうちＭ個の出力コネクタ側第１接続端子とがそれぞれ接続され、
前記中継ボックス側入力コネクタのＭ＋Ｎ個の接続端子のうち前記入力コネクタ側第１接続端子以外のＮ−１個の入力コネクタ側第２接続端子と、前記中継ボックス側出力コネクタのＭ＋Ｎ個の接続端子のうち前記出力コネクタ側第１接続端子以外のＮ−１個の出力コネクタ側第２接続端子とがそれぞれ接続され、
前記中継ボックス側入力コネクタのＭ個の前記入力コネクタ側第１接続端子と、前記中継ボックス側接続コネクタのＭ＋１個の接続端子のうちＭ個の接続コネクタ側第１接続端子とがそれぞれ接続され、
前記中継ボックス側入力コネクタのＭ＋Ｎ個の接続端子のうち前記入力コネクタ側第１接続端子及び前記入力コネクタ側第２接続端子以外の入力コネクタ側第３接続端子と、前記中継ボックス側接続コネクタのＭ＋１個の接続端子のうち前記接続コネクタ側第１接続端子以外の接続側コネクタ側第３接続端子とが接続され、
前記収容ボックスは、
Ｍ＋１個の接続端子を有する収容ボックス側入力コネクタと、
Ｍ＋１個の接続端子を有する収容ボックス側出力コネクタと、
前記収容ボックスの動作を制御する２個の制御端子と、
を有し、
前記収容ボックス側入力コネクタは、前記中継ボックス側接続コネクタ、及び他の前記収容ボックスの前記収容ボックス側出力コネクタと連結可能であり、
前記収容ボックス側入力コネクタのＭ＋１個の接続端子のうちＭ−１個の入力コネクタ側第４接続端子と、前記収容ボックス側出力コネクタのＭ＋１個の接続端子のうちＭ−１個の出力コネクタ側第４接続端子とがそれぞれ接続され、
前記収容ボックス側入力コネクタのＭ＋１個の接続端子のうち前記入力コネクタ側第４接続端子以外の１個の入力コネクタ側第５接続端子と、前記収容ボックス側出力コネクタのＭ＋１個の接続端子のうち前記出力コネクタ側第４接続端子以外の１個の出力コネクタ側第５接続端子とが接続され、
前記収容ボックス側入力コネクタのＭ＋１個の接続端子のうち前記入力コネクタ側第４接続端子及び前記入力コネクタ側第５端子以外の前記入力コネクタ側第６接続端子と、前記２個の制御端子の一方の制御端子とが接続され、
前記収容ボックス側入力コネクタの前記入力コネクタ側第５接続端子と、前記２個の制御端子の他方の制御端子とが接続され、
前記中継ボックス側接続コネクタと前記収容ボックス側入力コネクタとが連結された場合に、前記接続側コネクタ側第３接続端子と、前記入力コネクタ側第５接続端子とが接続される、収容ボックスシステム。
【請求項２】
前記収容ボックスは、メールボックス、宅配ボックス、又は、プライベートボックスである請求項１に記載の収容ボックスシステム。
【請求項３】
前記制御部は、前記収容ボックスの電気錠を制御する請求項１又は２に記載の収容ボックスシステム。
【請求項４】
前記制御部は、前記収容ボックスの回路部に流れる電流に基づいて異常を判断する請求項１〜３のいずれか１項に記載の収容ボックスシステム。
【請求項５】
前記収容ボックスが鉛直方向に複数直列に並べられている請求項１〜４のいずれか１項に記載の収容ボックスシステム。
【請求項６】
前記中継ボックスが水平方向に複数直列に並べられている請求項５に記載の収容ボックスシステム。
【請求項７】
中継ボックスを介して収容ボックスの動作を制御する制御部を備えた収容ボックスシステムであって、前記制御部は、ＭとＮをそれぞれ正の整数とした場合、Ｍ＋Ｎ個の接続端子を有する制御部側出力コネクタを有し、前記中継ボックスは、Ｍ＋Ｎ個の接続端子を有する中継ボックス側入力コネクタと、Ｍ＋Ｎ個の接続端子を有する中継ボックス側出力コネクタと、Ｍ＋１個の接続端子を有する中継ボックス側接続コネクタと、を有し、前記中継ボックス側入力コネクタは、前記制御部側出力コネクタ、及び他の前記中継ボックスの前記中継ボックス側出力コネクタと連結可能であり、前記中継ボックス側入力コネクタのＭ＋Ｎ個の接続端子のうちＭ個の入力コネクタ側第１接続端子と、前記中継ボックス側出力コネクタのＭ＋Ｎ個の接続端子のうちＭ個の出力コネクタ側第１接続端子とがそれぞれ接続され、前記中継ボックス側入力コネクタのＭ＋Ｎ個の接続端子のうち前記入力コネクタ側第１接続端子以外のＮ−１個の入力コネクタ側第２接続端子と、前記中継ボックス側出力コネクタのＭ＋Ｎ個の接続端子のうち前記出力コネクタ側第１接続端子以外のＮ−１個の出力コネクタ側第２接続端子とがそれぞれ接続され、前記中継ボックス側入力コネクタのＭ個の前記入力コネクタ側第１接続端子と、前記中継ボックス側接続コネクタのＭ＋１個の接続端子のうちＭ個の接続コネクタ側第１接続端子とがそれぞれ接続され、前記中継ボックス側入力コネクタのＭ＋Ｎ個の接続端子のうち前記入力コネクタ側第１接続端子及び前記入力コネクタ側第２接続端子以外の入力コネクタ側第３接続端子と、前記中継ボックス側接続コネクタのＭ＋１個の接続端子のうち前記接続コネクタ側第１接続端子以外の接続側コネクタ側第３接続端子とが接続される、収容ボックスシステムに用いられる収容ボックスにおいて、
Ｍ＋１個の接続端子を有する収容ボックス側入力コネクタと、
Ｍ＋１個の接続端子を有する収容ボックス側出力コネクタと、
前記収容ボックスの動作を制御する２個の制御端子と、
を有し、
前記収容ボックス側入力コネクタは、前記中継ボックス側接続コネクタ、及び他の前記収容ボックスの前記収容ボックス側出力コネクタと連結可能であり、
前記収容ボックス側入力コネクタのＭ＋１個の接続端子のうちＭ−１個の入力コネクタ側第４接続端子と、前記収容ボックス側出力コネクタのＭ＋１個の接続端子のうちＭ−１個の出力コネクタ側第４接続端子とがそれぞれ接続され、
前記収容ボックス側入力コネクタのＭ＋１個の接続端子のうち前記入力コネクタ側第４接続端子以外の１個の入力コネクタ側第５接続端子と、前記収容ボックス側出力コネクタのＭ＋１個の接続端子のうち前記出力コネクタ側第４接続端子以外の１個の出力コネクタ側第５接続端子とが接続され、
前記収容ボックス側入力コネクタのＭ＋１個の接続端子のうち前記入力コネクタ側第４接続端子及び前記入力コネクタ側第５端子以外の前記入力コネクタ側第６接続端子と、前記２個の制御端子の一方の制御端子とが接続され、
前記収容ボックス側入力コネクタの前記入力コネクタ側第５接続端子と、前記２個の制御端子の他方の制御端子とが接続され、
前記中継ボックス側接続コネクタと前記収容ボックス側入力コネクタとが連結された場合に、前記接続側コネクタ側第３接続端子と、前記入力コネクタ側第５接続端子とが接続される、収容ボックス。
【請求項８】
中継ボックスを介して収容ボックスの動作を制御する制御部を備えた収容ボックスシステムであって、前記制御部は、ＭとＮをそれぞれ正の整数とした場合、Ｍ＋Ｎ個の接続端子を有する制御部側出力コネクタを有し、前記収容ボックスは、Ｍ＋１個の接続端子を有する収容ボックス側入力コネクタと、Ｍ＋１個の接続端子を有する収容ボックス側出力コネクタと、前記収容ボックスの動作を制御する２個の制御端子と、を有し、前記収容ボックス側入力コネクタは、他の前記収容ボックスの前記収容ボックス側出力コネクタと連結可能であり、前記収容ボックス側入力コネクタのＭ＋１個の接続端子のうちＭ−１個の入力コネクタ側第４接続端子と、前記収容ボックス側出力コネクタのＭ＋１個の接続端子のうちＭ−１個の出力コネクタ側第４接続端子とがそれぞれ接続され、前記収容ボックス側入力コネクタのＭ＋１個の接続端子のうち前記入力コネクタ側第４接続端子以外の１個の入力コネクタ側第５接続端子と、前記収容ボックス側出力コネクタのＭ＋１個の接続端子のうち前記出力コネクタ側第４接続端子以外の１個の出力コネクタ側第５接続端子とが接続され、前記収容ボックス側入力コネクタのＭ＋１個の接続端子のうち前記入力コネクタ側第４接続端子及び前記入力コネクタ側第５端子以外の前記入力コネクタ側第６接続端子と、前記２個の制御端子の一方の制御端子とが接続され、前記収容ボックス側入力コネクタの前記入力コネクタ側第５接続端子と、前記２個の制御端子の他方の制御端子とが接続される、収容ボックスシステムに用いられる中継ボックスにおいて、
Ｍ＋Ｎ個の接続端子を有する中継ボックス側入力コネクタと、
Ｍ＋Ｎ個の接続端子を有する中継ボックス側出力コネクタと、
Ｍ＋１個の接続端子を有し、前記収容ボックス側入力コネクタに接続可能な中継ボックス側接続コネクタと、
を有し、
前記中継ボックス側入力コネクタは、前記制御部側出力コネクタ、及び他の前記中継ボックスの前記中継ボックス側出力コネクタと連結可能であり、
前記中継ボックス側入力コネクタのＭ＋Ｎ個の接続端子のうちＭ個の入力コネクタ側第１接続端子と、前記中継ボックス側出力コネクタのＭ＋Ｎ個の接続端子のうちＭ個の出力コネクタ側第１接続端子とがそれぞれ接続され、
前記中継ボックス側入力コネクタのＭ＋Ｎ個の接続端子のうち前記入力コネクタ側第１接続端子以外のＮ−１個の入力コネクタ側第２接続端子と、前記中継ボックス側出力コネクタのＭ＋Ｎ個の接続端子のうち前記出力コネクタ側第１接続端子以外のＮ−１個の出力コネクタ側第２接続端子とがそれぞれ接続され、
前記中継ボックス側入力コネクタのＭ個の前記入力コネクタ側第１接続端子と、前記中継ボックス側接続コネクタのＭ＋１個の接続端子のうちＭ個の接続コネクタ側第１接続端子とがそれぞれ接続され、
前記中継ボックス側入力コネクタのＭ＋Ｎ個の接続端子のうち前記入力コネクタ側第１接続端子及び前記入力コネクタ側第２接続端子以外の入力コネクタ側第３接続端子と、前記中継ボックス側接続コネクタのＭ＋１個の接続端子のうち前記接続コネクタ側第１接続端子以外の接続側コネクタ側第３接続端子とが接続され、
前記中継ボックス側接続コネクタと前記収容ボックス側入力コネクタとが連結された場合に、前記接続側コネクタ側第３接続端子と、前記入力コネクタ側第５接続端子とが接続される、中継ボックス。
【発明の詳細な説明】
【技術分野】
【０００１】
本発明は収容ボックスシステムに係り、特に複数の収容ボックスの電気鍵の施解錠等を制御する収容ボックスシステムに関する。
【背景技術】
【０００２】
マンション等の集合住宅において、玄関ロビー等には、郵便や宅配便等により配達された配送物を居住者が間接的に受け取るための居住者ごとの収容ボックスが設置されている。
【０００３】
特許文献１には、そのような収容ボックス（メールボックス）の施錠、解錠等を監理するメールボックスシステムが開示されている。これによれば、居住者ごとのメールボックスが縦横に並べて設置される。そして、これらの複数のメールボックスに対して１つの制御ボックスが信号線により電気的に接続される。
【０００４】
制御ボックスには、ＩＣカードリーダが設けられており、居住者がＩＣカードをＩＣカードリーダにセットすると、制御ボックスは、ＩＣカードに登録されているＩＤコードをＩＣカードリーダにより読み込み、そのＩＤコードに対応したメールボックスの扉の電気錠を制御して解錠する。
【０００５】
また、各メールボックスは、等価的に、横方向（行方向）に延びる複数の信号線と、縦方向（列方向）に伸びる複数の信号ラインとの交差部分の各々において行方向と列方向の信号ラインに接続され、マトリクス配線を介して制御ボックスに接続される。これによって制御ボックスは、信号の入出力を行う行方向と列方向の信号ラインを選択することで、所望のメールボックスの解錠等を個別に行うことができる。
【先行技術文献】
【特許文献】
【０００６】
【特許文献１】特開平５−２６６３６６号公報
【発明の概要】
【発明が解決しようとする課題】
【０００７】
しかしながら、特許文献１のような従来の収容ボックスシステムでは、制御ボックスと各収容ボックスとを接続するケーブルの配線作業に手間と時間を要するという問題があった。
【０００８】
本発明は、このような事情に鑑みてなされたもので、配線作業の負担を軽減することができる収容ボックスシステムを提供することを目的とする。
【課題を解決するための手段】
【０００９】
上記目的を達成するため、本発明の一の態様に係る収容ボックスシステムは、信号ライン群により制御部に直列に接続された同一構成の複数の収容ボックスを制御部により個別に制御する収容ボックスシステムであって、収容ボックスの各々は、Ｍを正の整数として１番〜Ｍ番の横信号ラインと１つの縦信号ラインとからなる信号ライン群を前段の収容ボックスとの間、及び、後段の収容ボックスとの間で接続するための第１コネクタ及び第２コネクタであって、収容ボックスを一列に配列したときに、前段の収容ボックスの第２コネクタと直接連結される第１コネクタ、及び、後段の収容ボックスの第１コネクタと直接連結される第２コネクタと、第１コネクタを介して接続される信号ライン群のうち、１番の横信号ラインと縦信号ラインとを内部の回路部に接続し、２番〜Ｍ番の横信号ライン及び縦信号ラインを、第２コネクタを介して接続される信号ライン群のうちの１番〜Ｍ−１番の横信号ライン及び縦信号ラインに接続する中継部と、を備える。
【００１０】
本態様によれば、同一構成の収容ボックスを任意の順序で配列すれば、一列に並ぶ収容ボックスを直列に接続して制御部により制御することができるため、配線作業の負担が軽減されると共に、収容ボックスの設置作業が迅速かつ簡易に行われるようになる。
【００１１】
本発明の他の態様に係る収容ボックスシステムにおいて、制御部に直列に接続される複数の中継ボックスの各々に複数の収容ボックスが直列に接続され、中継ボックスの各々は、Ｎを正の整数として１番〜Ｎ番の縦信号ラインと、１番〜Ｍ番の横信号ラインとからなる信号ライン群を前段の中継ボックスとの間、及び、後段の中継ボックスとの間で接続するための第３コネクタ及び第４コネクタであって、中継ボックスを一列に配列したときに、前段の中継ボックスの第４コネクタと直接連結される第３コネクタ、及び、後段の中継ボックスの第３コネクタと直接連結される第４コネクタと、１番〜Ｍ番の横信号ラインと１つの縦信号ラインとからなる信号ライン群を収容ボックスとの間で接続するための第５コネクタであって、中継ボックスに収容ボックスを隣接配置したときに、収容ボックスの第１コネクタと直接連結される第５コネクタと、第３コネクタを介して接続される信号ライン群のうち、１番〜Ｍ番の横信号ラインを、第４コネクタを介して接続される信号ライン群のうちの１番〜Ｍ番の横信号ラインと、第５コネクタを介して接続される信号ライン群のうちの１番〜Ｍ番の横信号ラインとに接続し、２番〜Ｎ番の縦信号ラインを、第４コネクタを介して接続される信号ライン群のうちの１番〜Ｎ−１番の縦信号ラインに接続し、１番の縦信号ラインを、第５コネクタを介して接続される信号ライン群のうちの１つの縦信号ラインに接続する第２中継部と、を備えた態様とすることができる。
【００１２】
本発明の更に他の態様に係る収容ボックスシステムにおいて、収容ボックスは、メールボックス、宅配ボックス、又は、プライベートボックスである態様とすることができる。
【００１３】
本発明の更に他の態様に係る収容ボックスシステムにおいて、制御部は、収容ボックスの電気錠を制御する態様とすることができる。
【００１４】
本発明の更に他の態様に係る収容ボックスシステムにおいて、制御部は、収容ボックスの回路部に流れる電流に基づいて異常を判断する態様とすることができる。
【００１５】
本発明の更に他の態様に係る収容ボックスシステムにおいて、収容ボックスが鉛直方向に複数直列に並べられている態様とすることができる。
【００１６】
本発明の更に他の態様に係る収容ボックスシステムにおいて、中継ボックスが水平方向に複数直列に並べられている態様とすることができる。
【発明の効果】
【００１７】
本発明によれば、配線作業の負担を軽減することができる。
【図面の簡単な説明】
【００１８】
【図１】メールボックスシステムを正面側から示した斜視図
【図２】メールボックスの斜視図
【図３】メールボックスの斜視図
【図４】中継ボックスの斜視図
【図５】中継ボックスの斜視図
【図６】制御ボックスの斜視図
【図７】メールボックスシステムの配線に関する内部構成を示したシステム構成図
【図８】制御ボックスの制御部と一列目の中継ボックスの横中継基板との間を接続する信号ライン群を示した図
【図９】隣接する２つの中継ボックスの横中継基板の間を接続する信号ライン群を示した図
【図１０】ｂ列目の中継ボックスの横中継基板と、ｂ列目における１段目のメールボックスの縦中継基板との間を接続する信号ライン群を示した図
【図１１】隣接する２つのメールボックスの縦中継基板の間を接続する信号ライン群Ｌｖを示した図
【図１２】任意の位置の横中継基板としてｂ列目の横中継基板を示した構成図
【図１３】任意の位置の縦中継基板としてｂ列目におけるａ段目の縦中継基板を示した構成図
【発明を実施するための形態】
【００１９】
以下、添付図面に従って本発明の好ましい実施の形態について詳説する。
【００２０】
図１は、メールボックスシステムを正面側から示した斜視図である。
【００２１】
同図に示すメールボックスシステム１０、集合住宅の玄関ロビー等において、例えば、背面側が壁に設置されことにより、または、所定の高さの台座部の上に設置されることにより、所定の高さ位置に配置される。
【００２２】
メールボックスシステム１０は、上下方向（縦）及び左右方向（横）に配列された同一構成の複数のメールボックス１２、１２、・・・と、メールボックス１２の配列領域の最下段に配置される複数の中継ボックス１４・・・、メールボックス１２の配列領域の周辺部等に配置される制御ボックス１６と、を有する。
【００２３】
メールボックス１２の概略構成について説明すると、図１の複数のメールボックス１２はいずれも同一構成のものであり、直方体状の外形を有する。
【００２４】
図２、図３は、メールボックス１２を正面側の右斜め上方及び右斜め下方から示した斜視図である。
【００２５】
これらの図に示すようにメールボックス１２は、郵便物を収容する空間である収容部２２を内部に備え、正面側に開口２２Ａを有するボックス本体２０と、ボックス本体２０の正面側に設けられ、開口２２Ａを開放可能に閉鎖する扉２４とを有する。
【００２６】
扉２４は、開口２２Ａに対して開閉可能に設けられると共に、電気錠による施錠により開放不能にロックされる。
【００２７】
また、扉２４には、外来者が郵便物をボックス本体２０の収容部２２の内部に投函する投函口２６が設けられる。
【００２８】
メールボックス１２（ボックス本体２０）の上面１２Ｕには、図２に示すように、１段上側に配置されるメールボックス１２に対して、電気的に接続するための複数の接触端子を有する出力コネクタ３２と、前後方向及び左右方向の位置を位置決めする４本の位置決めピン３４とが突設される。出力コネクタ３２は、例えば、右縁の近傍であって前後方向の略中央の位置に配置される。位置決めピン３４は、上面１２Ｕの四隅の各々に配置される。
【００２９】
メールボックス１２（ボックス本体２０）の下面１２Ｂには、図３に示すように、一段下側に配置されるメールボックス１２、又は、中継ボックス１４に対して、電気的に接続するための複数の接触端子を有する入力コネクタ３０と、前後方向及び左右方向の位置を位置決めする４つの位置決め穴３６が設けられる。
【００３０】
入力コネクタ３０は、出力コネクタ３２の位置に対して、正反対となる位置、即ち、前後方向及び左右方向に関して出力コネクタ３２と同一となる位置において下面１２Ｂよりも内部側に埋設される。また、入力コネクタ３０は、機械的構造としては出力コネクタ３２と連結可能であり、入力コネクタ３０と出力コネクタ３２との連結により、それらの対応する位置の接触端子同士が接続される。
【００３１】
４つの位置決め穴３６の各々は、上面１２Ｕに突設された４つの位置決めピン３４の各々に対して正反対となる位置に穿設され、位置決めピン３４の上面１２Ｕから突出した部分が完全に内部に嵌入した状態で係合する形状及び大きさを有する。
【００３２】
このように構成されたメールボックス１２によれば、２つのメールボックス１２のうちの一方のメールボックス１２の上面１２Ｕにおける４つの位置決めピン３４と、他方のメールボックス１２の下面１２Ｂにおける４の位置決め穴３６との位置を合わせて、それらのメールボックス１２を上下方向に近付けると、位置決めピン３４と位置決め穴３６とが嵌合すると共に、下側のメールボックス１２の上面１２Ｕと上側のメールボックス１２の下面１２Ｂとが当接する。
【００３３】
これによって、２つのメールボックス１２が前後方向及び左右方向に一致した位置に位置決めされた状態で上下に配置される。また、下側のメールボックス１２の出力コネクタ３２の上面１２Ｕからの突出部分が、上側のメールボックス１２の入力コネクタ３０の部分において下面１２Ｂよりも内部側に入り込み、それらの入力コネクタ３０と出力コネクタ３２とが連結されて２つのメールボックス１２が電気的に接続される。
【００３４】
したがって、このようにして任意の数のメールボックス１２を任意の順序で上下方向に並べて配置することができると共に、上下に隣接するメールボックス１２の入力コネクタ３０と出力コネクタ３２との連結により、上下方向に一列に並べられたメールボックス１２が電気的に接続される。
【００３５】
なお、図２、図３に示したメールボックス１２の構成は一例であって異なる構成であってもよい。例えば、メールボック１２の正面側に扉２４を設けるのではなく、メールボックス１２の背面側にメールボックス１２に投函された郵便物を取り出す扉が設けられたものであってもよい。この場合には、メールボックスシステム１０の背面側に、居住者がメールボックス１２の扉に対面するスペースが必要となる。
【００３６】
続いて、中継ボックス１４の概略構成について説明すると、図１の複数の中継ボックス１４はいずれも同一構成のものであり、前後方向の長さ及び左右方向の長さがメールボックス１２と同一寸法となる直方体状の外形を有する。
【００３７】
図４、図５は、中継ボックス１４を正面側の右斜め上方及び左斜め下方から示した斜視図である。
【００３８】
これらの図に示すように中継ボックス１４は、上下方向の厚さがメールボックス１２と比べて薄く、内部には後述の中継基板などが収納される。
【００３９】
中継ボックス１４の右側面１４Ｒには、図４に示すように、一列右側に配置される中継ボックス１４に対して、電気的に接続するための複数の接触端子を有する出力コネクタ５２と、前後方向及び上下方向の位置を位置決めする２本の位置決めピン５４とが突設される。出力コネクタ５２は、前後方向の略中央の位置に配置され、位置決めピン５４は、前端付近と後端付近に配置される。
【００４０】
中継ボックス１４の左側面１４Ｌには、図５に示すように一列左側に配置される中継ボックス１４、又は、制御ボックス１６に対して、電気的に接続するための複数の接触端子を有する入力コネクタ５０と、前後方向及び上下方向の位置を位置決めする２つの位置決め穴５６が設けられる。
【００４１】
入力コネクタ５０は、出力コネクタ５２の位置に対して、正反対となる位置、即ち、前後方向及び上下方向に関して出力コネクタ５２と同一となる位置において左側面１４Ｌよりも内部側に埋設される。また、入力コネクタ５０は、機械的構造としては出力コネクタ５２と連結可能であり、入力コネクタ５０と出力コネクタ５２との連結により、それらの対応する位置の接触端子同士が接続される。
【００４２】
２つの位置決め穴５６の各々は、右側面１４Ｒに突設された２つの位置決めピン５４の各々に対して正反対となる位置に穿設され、位置決めピン５４の右側面１４Ｒから突出した部分が完全に内部に嵌入した状態で係合する形状及び大きさを有する。
【００４３】
中継ボックス１４の上面１４Ｕには、図４に示すように１段上側に配置されるメールボックス１２に対して、電気的に接続するための複数の接触端子を有する分岐コネクタ６０と、前後方向及び左右方向の位置を位置決めする４本の位置決めピン６２とが突設される。
【００４４】
分岐コネクタ６０と４本の位置決めピン６２の上面１４Ｕにおける配置は、メールボックス１２の上面１２Ｕにおける出力コネクタ３２と４本の位置決めピン３４の配置と一致する。
【００４５】
また、分岐コネクタ６０は、機械的構造がメールボックス１２の出力コネクタ３２と同一のものであり、メールボックス１２の入力コネクタ３０と連結可能である。そして、分岐コネクタ６０とメールボックス１２の入力コネクタ３０との連結により、それらの対応する位置の接触端子同士が接続される。
【００４６】
このように構成された中継ボックス１４によれば、２つの中継ボックス１４のうちの一方の中継ボックス１４の右側面１４Ｒにおける２つの位置決めピン５４と、他方の中継ボックス１４の左側面１４Ｌにおける２つの位置決め穴５６との位置を合わせて、それらの中継ボックス１４を左右方向に近付けると、位置決めピン５４と位置決め穴５６とが嵌合すると共に、左側の中継ボックス１４の右側面１４Ｒと右側の中継ボックス１４の左側面１４Ｌとが当接する。
【００４７】
これによって、２つの中継ボックス１４が前後方向及び上下方向に一致した位置に位置決めされた状態で左右に配置される。また、左側の中継ボックス１４の出力コネクタ５２の右側面１４Ｒからの突出部分が、右側の中継ボックス１４の入力コネクタ５０の部分において左側面１４Ｌよりも内部側に入り込み、それらの入力コネクタ５０と出力コネクタ５２とが連結されて２つの中継ボックス１４が電気的に接続される。
【００４８】
したがって、このようにして任意の数の中継ボックス１４を左右方向に並べて配置することができると共に、左右に隣接する中継ボックス１４の入力コネクタ５０と出力コネクタ５２との連結により、左右方向に一列（１段）に並べられた中継ボックス１４が電気的に接続される。
【００４９】
また、各中継ボックス１４の上側にメールボックス１２を配置し、中継ボックス１４の上面１４Ｕにおける４つの位置決めピン６２と、メールボックス１２の下面１２Ｂにける４つの位置決め穴３６との位置を合わせて上下方向に近付けると、位置決めピン６２と位置決め穴３６とが嵌合すると共に、中継ボックス１４の上面１４Ｕとメールボックス１２の下面１２Ｂとが当接する。
【００５０】
これによって、中継ボックス１４とメールボックス１２とが前後方向及び左右方向に一致した位置に位置決めされた状態で上下に配置される。また、中継ボックス１４の分岐コネクタ６０の上面１４Ｕからの突出部分が、メールボックス１２の入力コネクタ３０の部分において下面１２Ｂよりも内部側に入り込み、それらの分岐コネクタ６０と入力コネクタ３０とが連結されて中継ボックス１４とメールボックス１２とが電気的に接続される。
【００５１】
したがって、このようにして左右方向に並べて配置された各列の中継ボックス１４の各々の上側に複数段に積み重ねたメールボックス１２を配置することができると共に、各列のメールボックス１２が最下段の中継ボックス１４に電気的に接続される。
【００５２】
特に、メールボックス１２は同一構成であるため、配列の順序は任意でよく、かつ、メールボックス１２の間、及び、メールボックス１２と中継ボックス１４との間をケーブル等を使用して接続する必要がないため、煩雑な配線作業も不要にすることができる。
【００５３】
続いて、制御ボックス１６の概略構成について説明する。
【００５４】
図６は、制御ボックス１６を正面側の右斜め上方から示した斜視図である。
【００５５】
同図に示すように制御ボックス１６は、前後方向の長さがメールボックス１２と同一寸法となる直方体状の外径を有し、正面１６Ｆには、各種情報を入力し、又は、各種情報を表示する操作パネル８０やＩＣカードの情報を読み取るＩＣカードリーダ８２が設けられる。
【００５６】
制御ボックス１６の右側面１６Ｒには、右側に配置される中継ボックス１４に対して、電気的に接続するための複数の接触端子を有する出力コネクタ９０と、前後方向及び上下方向の位置を位置決めする２本の位置決めピン９２とが突設される。
【００５７】
出力コネクタ９０と２本の位置決めピン９２の位置関係は、中継ボックス１４の右側面１４Ｒにおける出力コネクタ５２と２本の位置決めピン５４の位置関係に一致する。
【００５８】
また、出力コネクタ９０は、機械的構造が中継ボックス１４の出力コネクタ５２と同一のものであり、中継ボックス１４の入力コネクタ５０と連結可能である。そして、制御ボックス１６の出力コネクタ９０と中継ボックス１４の入力コネクタ５０との連結により、それらの対応する位置の接触端子同士が接続される。
【００５９】
このように構成された制御ボックス１６によれば、制御ボックス１６の右側に中継ボックス１４を配置し、制御ボックス１６の右側面１６Ｒにおける２つの位置決めピン９２と、中継ボックス１４の左側面１４Ｌにおける２つの位置決め穴５６との位置を合わせて左右方向に近付けると、位置決めピン９２と位置決め穴５６とが嵌合すると共に、制御ボックス１６の右側面１６Ｒに中継ボックス１４の左側面１４Ｌとが当接する。
【００６０】
これによって、制御ボックス１６と中継ボックス１４とが前後方向及び上下方向に所定の位置関係に位置決めされた状態で左右に配置される。また、制御ボックス１６の出力コネクタ９０の右側面１６Ｒからの突出部分が、中継ボックス１４の入力コネクタ５０の部分において左側面１４Ｌよりも内部側に入り込み、それらの出力コネクタ９０と入力コネクタ５０とが連結されて制御ボックス１６と中継ボックス１４とが電気的に接続される。
【００６１】
したがって、左右方向に並べて配置された中継ボックス１４のうちの最も左側の中継ボックス１４の左側に制御ボックス１６を並べて配置することができると共に、制御ボックス１６が中継ボックス１４に電気的に接続され、中継ボックス１４を介して制御ボックス１６が各列における各段のメールボックス１２に電気的に接続される。
【００６２】
また、制御ボックス１６は、主として、メールボックス１２の施錠及び解錠（施解錠）の制御を行うものであり、例えば、居住者は、固有のＩＤコードが記憶されたＩＣカードを所有する。そのＩＤカードがＩＣカードリーダ８２にセット（接触等）されると、制御ボックス１６は、ＩＣカードリーダ８２により、そのＩＣカードのＩＤコードを読み取る。そして、そのＩＤコードに対応したメールボックス１２の電気錠を解錠の状態にする。これにより、居住者は、自分のメールボックス１２の扉２４を開くことができ、メールボックス１２内の郵便物を取り出すことができる。
【００６３】
また、制御ボックス１６は、解錠から例えば一定時間が経過すると、又は、ＩＣカードがＩＣカードリーダ８２に再度セットされると、電気錠を施錠の状態にし、扉２４が開かないようにロックする。
【００６４】
次に、上記メールボックスシステム１０の配線に関する内部構成について説明する。
【００６５】
図７は、メールボックスシステム１０の配線の内部構成を示したシステム構成図である。
【００６６】
同図に示すように、上記の制御ボックス１６には、システム全体を統括的に制御する制御部１００が搭載される。制御部１００には、制御ボックス１６に設けられた操作パネル８０及びＩＣカードリーダ８２が接続され、制御部１００は、操作パネル８０に各種情報を表示すると共に、操作パネル８０やＩＣカードリーダ８２により取得される情報にしたがって各種処理を実施する。
【００６７】
制御部１００には、制御部１００からの信号を中継する横中継基板１０２であって、上述の中継ボックス１４の各々に搭載された同一構成の複数の横中継基板１０２が各々の間を接続する同一構成の信号ライン群Ｌｈを介して直列に接続される。
【００６８】
ここで、図１のメールボックスシステム１０において、制御ボックス１６に直接接続される中継ボックス１４が配置される列の列番号を１（一列目）とし、かつ、１つ横（図１において右横）の列に移行するごとに列番号が１ずつ増加するものとする。また、中継ボックス１４が配置される段（又は行）の段番号を０（０段目）とし、かつ、１つ上の段の移行するごとに段番号が１ずつ増加するものとする。そして、ｂ列目のａ段目の位置を（ａ，ｂ）により表すものとする。ａは０〜ｍのうちの任意の整数、ｂは１〜ｎのうちの任意の整数を示し、ｍはメールボックス１２が配列される段数（最上段の段番号）、ｎはメールボックス１２が配列される列数（最右列の列番号）を示す。なお、ｍは列によって相違する値、即ち、ｂに応じて変化する値であってもよい。
【００６９】
このとき、同一符号により表される同一構成の構成要素を区別する場合には、その符号に位置を示す符号（ａ，ｂ）を付すものとする。例えば、図７において同一構成の横中継基板１０２には、制御ボックス１６の制御部１００に直接接続されるものから順に１０２（０，１）、１０２（０，２）、・・・、１０２（０，ｎ）を付し、同一構成の信号ライン群Ｌｈには、接続先の位置に基づきＬｈ（０，１）、Ｌｈ（０，２）、・・・、Ｌｈ（０，ｎ）を付している。
【００７０】
横中継基板１０２（０，ｂ）の各々には、信号を中継する縦中継基板１０４であって、ｂ列目のメールボックス１２の各々に搭載された同一構成の複数の縦中継基板１０４（１０４（１，ｂ）〜１０４（ｍ，ｂ））が各々の間を接続する信号ライン群Ｌｖ（Ｌｖ（１，ｂ）〜Ｌｖ（ｍ，ｂ））を介して直列に接続される。
【００７１】
縦中継基板１０４（ａ，ｂ）の各々には、メールボックス１２に搭載された回路部１０６（１０６（ａ，ｂ））が接続される。回路部１０６は、メールボックス１２に設けられる任意の回路を示し、例えば、電気錠、ＬＥＤ、センサ等のように制御部１００からの電圧（及び電流）の供給の有無や供給される電圧の電圧値等により状態が変化する回路を示す。
【００７２】
詳細は省略するが、例えば、電気錠は、電磁コイル（ソレノイド）と、電磁コイルにより発生する磁気により可動するプランジャ（可動鉄心）とからなるソレノイドアクチュエータを有する。そして、制御部１００から電磁コイルへの電圧供給の有無によりプランジャが異なる位置に移動してメールボックス１２の扉２４の施解錠が行われる。
【００７３】
このようなシステム構成において、制御部１００が各メールボックス１２の回路部１０６に対して個別に電圧を供給するための信号ラインの構成について説明する。
【００７４】
まず、信号ライン群Ｌｈの構成について説明すると、図８は、制御ボックス１６の制御部１００と一列目の中継ボックス１４（０，１）の横中継基板１０２（０，１）との間を接続する信号ライン群Ｌｈ（０，１）を示す。
【００７５】
同図に示すように制御部１００は、接続端子ｘ（１）〜ｘ（Ｍ）及び接続端子ｙ（１）〜ｙ（Ｎ）からなる合計Ｍ＋Ｎ個の接続端子を有する。Ｍは制御ボックス１６が制御可能なメールボックス１２の最大列数を示し、Ｎは制御ボックス１６が制御可能なメールボックス１２の最大段数を示す。ＭとＮとは設計段階で決められた数であるため、図１のメールボックスシステム１０におけるメールボックス１２の段数ｍがＭ以下で、かつ、列数ｎがＮ以下という条件を満たすようにメールボックス１２が配列される。
【００７６】
制御部１００は接続端子ｘ（１）〜ｘ（Ｍ）のうちの接続端子ｘ（ａ）と、接続端子ｙ（１）〜ｙ（Ｎ）のうちの接続端子ｙ（ｂ）との間にのみ電位差を生じさせることにより、即ち、制御部１００内において接続端子ｘ（ａ）と接続端子ｙ（ｂ）との間を電源を介して導通させ、他の接続端子の間を非導通とすることにより、回路部１０６（ａ、ｂ）にのみ所定の電圧を供給し、例えば、メールボックス１２（ａ、ｂ）のみを解錠する。
【００７７】
また、制御部１００は、接続端子ｘ（１）〜ｘ（Ｍ）又は接続端子ｙ（１）〜ｙ（Ｎ）の各々を流れる電流を検出する電流検出手段（各回路部１０６（１，１）〜１０６（ｍ，ｎ）に流れる電流を検出する電流検出手段）を有し、接続端子ｘ（ａ）と接続端子ｙ（ｂ）との間に電位差を生じさせたにもかかわらず、電流検出手段によりそれらの接続端子を流れる電流が検出されない場合（検出した電流が所定の閾値以下の場合）には、断線等の異常が生じていると判断し、所定の警告手段（操作パネル８０への警告表示、警告ランプの点灯、警告音の発生等）により警告を行う。
【００７８】
各接続端子ｘ（１）〜ｘ（Ｍ）、ｙ（１）〜ｙ（Ｎ）は制御ボックス１６内において同図では不図示の出力コネクタ９０（図６参照）の各接触端子に信号線を介して接続される。
【００７９】
一方、同図において中継ボックス１４（０，１）の横中継基板１０２（０，１）の一部として例示されるように、中継ボックス１４の横中継基板１０２には、端子部ｃとして、接続端子ｃｘ（１）〜ｃｘ（Ｍ）及び接続端子ｃｙ（１）〜ｃｙ（Ｎ）をからなる合計Ｍ＋Ｎ個の接続端子が設けられる。端子部ｃの各接続端子ｃｘ（１）〜ｃｘ（Ｍ）、ｃｙ（１）〜ｃｙ（Ｎ）は、中継ボックス１４内において同図では不図示の入力コネクタ５０（図５参照）の各接触端子に信号線を介して接続される。
【００８０】
そして、制御ボックス１６の出力コネクタ９０と中継ボックス１４（０，１）の入力コネクタ５０との接続により、制御部１００の各接続端子ｘ（１）〜ｘ（Ｍ）、ｙ（１）〜ｙ（Ｎ）と、横中継基板１０２（０，１）における端子部ｃの各接続端子ｃｘ（１）〜ｃｘ（Ｍ）、ｃｙ（１）〜ｃｙ（Ｎ）とが、信号ラインｈｘ（１）〜ｈｘ（Ｍ）、ｈｙ（１）〜ｈｙ（Ｎ）により接続される。
【００８１】
なお、制御部１００の接続端子ｘ（１）〜ｘ（Ｍ）に接続される信号ラインｈｘ（１）〜ｈｘ（Ｍ）を横信号ラインというものとし、括弧内の１〜Ｍの値が横信号ラインにおけるライン番号を示すものとする。また、制御部１００の接続端子ｙ（１）〜ｙ（Ｎ）に接続される信号ラインｈｙ（１）〜ｈｙ（Ｎ）を縦信号ラインというものとし、括弧内の１〜Ｎの値が縦信号ラインにおけるライン番号を示すものとする。
【００８２】
図９は、隣接する２つの中継ボックス１４の横中継基板１０２の間を接続する信号ライン群Ｌｈ（０，ｂ）を示し、ｂ列目の中継ボックス１４（０，ｂ）の横中継基板１０２（０，ｂ）と、ｂ−一列目の中継ボックス１４（０，ｂ−１）の横中継基板１０２（０，ｂ−１）との間を接続する信号ライン群Ｌｈ（０，ｂ）を示す。
【００８３】
同図において中継ボックス１４（０，ｂ）の横中継基板１０２（０，１）の一部として例示されるように中継ボックス１４の横中継基板１０２には、上述のように端子部ｃとして、接続端子ｃｘ（１）〜ｃｘ（Ｍ）及び接続端子ｃｙ（１）〜ｃｙ（Ｎ）からなる合計Ｍ＋Ｎ個の接続端子が設けられる。
【００８４】
一方、同図において中継ボックス１４（０，ｂ−１）の横中継基板１０２（０，ｂ−１）の一部として例示されるように中継ボックス１４の横中継基板１０２には、端子部ｄとして、接続端子ｄｘ（１）〜ｄｘ（Ｍ）及び接続端子ｄｙ（１）〜ｄｙ（Ｎ）からなる合計Ｍ＋Ｎ個の接続端子が設けられる。端子部ｄの各接続端子ｄｘ（１）〜ｄｘ（Ｍ）、ｄｙ（１）〜ｄｙ（Ｎ）は、中継ボックス１４内において同図では不図示の出力コネクタ５２（図４参照）の各接触端子に信号線を介して接続される。
【００８５】
そして、中継ボックス１４（０，ｂ−１）の出力コネクタ５２と中継ボックス１４（０，ｂ）の入力コネクタ５０との接続により、横中継基板１０２（０，ｂ−１）における端子部ｄの各接続端子ｄｘ（１）〜ｄｘ（Ｍ）、ｄｙ（１）〜ｄｙ（Ｎ）と、横中継基板１０２（０，ｂ）における端子部ｃの各接続端子ｃｘ（１）〜ｃｘ（Ｍ）、ｃｙ（１）〜ｃｙ（Ｎ）とが、図８と同様に横信号ラインｈｘ（１）〜ｈｘ（Ｍ）及び縦信号ラインｈｙ（１）〜ｈｙ（Ｎ）により接続される。
【００８６】
続いて、信号ライン群Ｌｖの構成について説明すると、図１０は、ｂ列目の中継ボックス１４（０，ｂ）の横中継基板１０２（０，ｂ）と、ｂ列目における１段目のメールボックス１２（１，ｂ）の縦中継基板１０４（１，ｂ）との間を接続する信号ライン群Ｌｖ（１，ｂ）を示す。
【００８７】
同図において中継ボックス１４（０，ｂ）の横中継基板１０２（０，ｂ）の一部として例示されるように中継ボックス１４の横中継基板１０２には、端子部ｅとして、接続端子ｅｘ（１）〜ｅｘ（Ｍ）及び接続端子ｅｙ（１）からなる合計Ｍ＋１個の接続端子が設けられる。端子部ｅの各接続端子ｅｘ（１）〜ｅｘ（Ｍ）、ｅｙ（１）は、中継ボックス１４内において同図では不図示の分岐コネクタ６０（図４参照）の各接触端子に信号線を介して接続される。
【００８８】
一方、同図においてメールボックス１２（１，ｂ）の縦中継基板１０４（１，ｂ）の一部として例示されるように、メールボックス１２の縦中継基板１０４には、端子部ｐとして、接続端子ｐｘ（１）〜ｐｘ（Ｍ）及び接続端子ｐｙ（１）をからなる合計Ｍ＋１個の接続端子が設けられる。端子部ｐの各接続端子ｐｘ（１）〜ｐｘ（Ｍ）、ｐｙ（１）は、メールボックス１２内において同図では不図示の入力コネクタ３０（図３参照）の各接触端子に信号線を介して接続される。
【００８９】
そして、中継ボックス１４（０，ｂ）の分岐コネクタ６０とメールボックス１２（１，ｂ）の入力コネクタ３０との接続により、横中継基板１０２（０，ｂ）の各接続端子ｅｘ（１）〜ｅｘ（Ｍ）、ｅｙ（１）と、縦中継基板１０４（１，ｂ）における端子部ｐの各接続端子ｐｘ（１）〜ｐｘ（Ｍ）、ｐｙ（１）とが、横信号ラインｖｘ（１）〜ｖｘ（Ｍ）と、縦信号ラインｖｙ（１）を介して接続される。
【００９０】
図１１は、隣接する２つのメールボックス１２の縦中継基板１０４の間を接続する信号ライン群Ｌｖ（ａ，ｂ）を示し、ｂ列目におけるａ−１段目のメールボックス１２（ａ−１，ｂ）の縦中継基板１０４（ａ−１，ｂ）と、ｂ列目におけるａ段目のメールボックス１２（ａ，ｂ）の縦中継基板１０４（ａ，ｂ）との間を接続する信号ライン群Ｌｖ（ａ，ｂ）を示す。
【００９１】
同図においてメールボックス１２（ａ，ｂ）の縦中継基板１０４（ａ，ｂ）の一部として例示されるようにメールボックス１２の縦中継基板１０４には、上述のように端子部ｐとして、接続端子ｐｘ（１）〜ｐｘ（Ｍ）及び接続端子ｐｙ（１）からなる合計Ｍ＋１個の接続端子が設けられる。
【００９２】
一方、同図においてメールボックス１２（ａ−１，ｂ）の縦中継基板１０４（ａ−１，ｂ）の一部として例示されるようにメールボックス１２の縦中継基板１０４には、端子部ｑとして、接続端子ｑｘ（１）〜ｑｘ（Ｍ）及び接続端子ｑｙ（１）からなる合計Ｍ＋１個の接続端子が設けられる。端子部ｑの各接続端子ｑｘ（１）〜ｑｘ（Ｍ）、ｑｙ（１）は、メールボックス１２内において同図では不図示の出力コネクタ３２（図２参照）の各接触端子に信号線を介して接続される。
【００９３】
そして、メールボックス１２（ａ−１，ｂ）の出力コネクタ３２とメールボックス１２（ａ，ｂ）の入力コネクタ３０との接続により、縦中継基板１０４（ａ−１，ｂ）における端子部ｐの各接続端子ｐｘ（１）〜ｐｘ（Ｍ）、ｐｙ（１）と、縦中継基板１０４（ａ，ｂ）における端子部ｑの各接続端子ｑｘ（１）〜ｑｘ（Ｍ）、ｑｙ（１）とが、図１０と同様に横信号ラインｖｘ（１）〜ｖｘ（Ｍ）及び縦信号ラインｖｙ（１）を介して接続される。
【００９４】
次に、横中継基板１０２の構成について説明する。図１２は、任意の位置の横中継基板１０２としてｂ列目の横中継基板１０２（０，ｂ）を示した構成図である。
【００９５】
同図に示すように、横中継基板１０２（０，ｂ）には、上述の端子部ｃ、端子部ｄ、及び、端子部ｅが設けられる。
【００９６】
端子部ｃは、接続端子ｃｘ（１）〜ｃｘ（Ｍ）、ｃｙ（１）〜ｃｙ（Ｎ）からなる（Ｍ＋Ｎ）個の接続端子を有し、それらの各接続端子ｃｘ（１）〜ｃｘ（Ｍ）、ｃｙ（１）〜ｃｙ（Ｎ）には、信号ライン群Ｌｈ（０，ｂ）の横信号ラインｈｘ（１）〜ｈｘ（Ｍ）、及び、縦信号ラインｈｙ（１）〜ｈｙ（Ｎ）が接続される。
【００９７】
端子部ｄは、接続端子ｄｘ（１）〜ｄｘ（Ｍ）、ｄｙ（１）〜ｄｙ（Ｎ）からなる（Ｍ＋Ｎ）個の接続端子を有し、それらの各接続端子ｄｘ（１）〜ｄｘ（Ｍ）、ｄｙ（１）〜ｄｙ（Ｎ）には、信号ライン群Ｌｈ（０，ｂ＋１）の横信号ラインｈｘ（１）〜ｈｘ（Ｍ）、及び、縦信号ラインｈｙ（１）〜ｈｙ（Ｎ）が接続される。
【００９８】
端子部ｅは、接続端子ｅｘ（１）〜ｅｘ（Ｍ）、ｅｙ（１）からなる（Ｍ＋１）個の接続端子を有し、それらの各接続端子ｅｘ（１）〜ｅｘ（Ｍ）、ｅｙ（１）には、信号ライン群Ｌｖ（１，ｂ）の横信号ラインｖｘ（１）〜ｖｘ（Ｍ）、及び、縦信号ラインｖｙ（１）が接続される。
【００９９】
横中継基板１０２（０，ｂ）上において、端子部ｃの各接続端子ｃｘ（１）〜ｃｘ（Ｍ）には、端子部ｄの各接続端子ｄｘ（１）〜ｄｘ（Ｎ）が各信号ラインｉｘ（１）〜ｉｘ（Ｍ）を介して接続される。
【０１００】
また、端子部ｃの各接続端子ｃｙ（２）〜ｃｙ（Ｎ）には、端子部ｄの各接続端子ｄｙ（１）〜ｄｙ（Ｎ−１）が信号ラインｉｙ（２）〜ｉｙ（Ｎ）を介して接続される。
【０１０１】
これによれば、信号ライン群Ｌｈ（０，ｂ）における各横信号ラインｈｘ（１）〜ｈｘ（Ｍ）は、信号ライン群Ｌｈ（０，ｂ＋１）においてライン番号が一致する各横信号ラインｈｘ（１）〜ｈｘ（Ｍ）にそのまま接続される。
【０１０２】
また、信号ライン群（０，ｂ）における各縦信号ラインｈｙ（２）〜ｈｙ（Ｎ）は、信号ライン群Ｌｈ（０，ｂ＋１）においてライン番号が１ずつ小さい各縦信号ラインｈｙ（１）〜ｈｙ（Ｎ−１）に接続される。
【０１０３】
一方、横中継基板１０２（０，ｂ）上において、信号ラインｉｘ（１）〜ｉｘ（Ｍ）からは信号ラインｊｘ（１）〜ｊｘ（Ｍ）が分岐され、端子部ｅの各接続端子ｅｘ（１）〜ｅｘ（Ｍ）に接続される。したがって、端子部ｃの各接続端子ｃｘ（１）〜ｃｘ（Ｍ）には、端子部ｅの各接続端子ｅｘ（１）〜ｅｘ（Ｍ）も接続される。
【０１０４】
また、端子部ｃの接続端子ｃｙ（１）には、端子部ｅの接続端子ｅｙ（１）が信号ラインｉｙ（１）を介して接続される。
【０１０５】
これによれば、信号ライン群Ｌｈ（０，ｂ）における各横信号ラインｈｘ（１）〜ｈｘ（Ｍ）は、信号ライン群Ｌｖ（１，ｂ）においてライン番号が一致する各横信号ラインｖｘ（１）〜ｖｘ（Ｍ）に接続される。
【０１０６】
また、信号ライン群Ｌｈ（０，ｂ）における縦信号ラインｈｙ（１）は、信号ライン群Ｌｖ（１，ｂ）においてライン番号が一致する縦信号ラインｖｙ（１）に接続される。
【０１０７】
続いて、縦中継基板１０４の構成について説明する。図１３は、任意の位置の縦中継基板１０４としてｂ列目におけるａ段目の縦中継基板１０４（ａ，ｂ）を示した構成図である。
【０１０８】
同図に示すように、縦中継基板１０４（ａ，ｂ）には、上述の端子部ｐ及び端子部ｑと、回路部１０６（ａ，ｂ）に接続される端子部ｒが設けられる。
【０１０９】
端子部ｐは、接続端子ｐｘ（１）〜ｐｘ（Ｍ）、ｐｙ（１）からなる（Ｍ＋１）個の接続端子を有し、それらの各接続端子ｐｘ（１）〜ｐｘ（Ｍ）、ｐｙ（１）には、信号ライン群Ｌｖ（ａ，ｂ）の横信号ラインｖｘ（１）〜ｖｘ（Ｍ）、及び、縦信号ラインｖｙ（１）が接続される。
【０１１０】
端子部ｑは、接続端子ｑｘ（１）〜ｑｘ（Ｍ）、ｑｙ（１）からなる（Ｍ＋１）個の接続端子を有し、それらの各接続端子ｑｘ（１）〜ｑｘ（Ｍ）、ｑｙ（１）には、信号ライン群Ｌｖ（ａ＋１，ｂ）の横信号ラインｖｘ（１）〜ｖｘ（Ｍ）、及び、縦信号ラインｖｙ（１）が接続される。
【０１１１】
端子部ｒは、接続端子ｒｘ（１）、ｒｙ（１）からなる２個の接続端子を有し、それらの接続端子ｒｘ（１）、ｒｙ（１）は、メールボックス１２内において回路部１０６（ａ，ｂ）の動作に必要な電圧（電源）を供給する２つの端子に信号線を介して接続される。
【０１１２】
縦中継基板１０４（ａ，ｂ）上において、端子部ｐの各接続端子ｐｘ（２）〜ｐｘ（Ｍ）には、端子部ｑの各接続端子ｑｘ（１）〜ｄｘ（Ｍ−１）が各信号ラインｆｘ（２）〜ｆｘ（Ｍ）を介して接続される。
【０１１３】
また、端子部ｐの接続端子ｐｙ（１）には、端子部ｑの接続端子ｑｙ（１）が信号ラインｆｙ（１）を介して接続される。
【０１１４】
これによれば、信号ライン群Ｌｖ（ａ，ｂ）における各横信号ラインｖｘ（２）〜ｖｘ（Ｍ）は、信号ライン群Ｌｖ（ａ＋１，ｂ）においてライン番号が１ずつ小さい各横信号ラインｖｘ（１）〜ｖｘ（Ｍ−１）に接続される。
【０１１５】
また、信号ライン群Ｌｖ（ａ，ｂ）における縦信号ラインｖｙ（１）は、信号ライン群Ｌｖ（ａ＋１，ｂ）においてライン番号が一致する縦信号ラインｖｙ（１）に接続される。
【０１１６】
一方、縦中継基板１０４（ａ，ｂ）上において、端子部ｐの各接続端子ｐｘ（１）には、端子部ｒの接続端子ｒｘ（１）が信号ラインｆｘ（１）を介して接続される。
【０１１７】
また、信号ラインｆｙ（１）からは信号ラインｇｙ（１）が分岐され、端子ｒの接続端子ｒｙ（１）に接続される。したがって、端子部ｐの接続端子ｐｙ（１）には、端子部ｒの接続端子ｒｙ（１）も接続される。
【０１１８】
これによれば、信号ライン群Ｌｖ（ａ，ｂ）における横信号ラインｖｘ（１）と縦信号ラインｖｙ（１）は、回路部１０６（ａ，ｂ）に接続される。
【０１１９】
以上のメールボックスシステム１０の信号ラインの構成によれば、任意の位置のメールボックス１２（ａ，ｂ）の回路部１０６（ａ，ｂ）に電圧を供給する２つの端子のうちの一方の端子には、信号ライン群Ｌｈ（０，１）〜Ｌｈ（０，ｂ）における横信号ラインｈｘ（ａ）と、信号ライン群Ｌｖ（１，ｂ）〜Ｌｖ（ａ，ｂ）における横信号ラインｖｘ（ａ）、ｖｘ（ａ−１）、・・・、ｖｘ（１）とを介して制御部１００の接続端子ｘ（ａ）が接続される。また、回路部１０６（ａ，ｂ）に電圧を供給する他方の端子には、信号ライン群Ｌｈ（０，１）〜Ｌｈ（０，ｂ）における縦信号ラインｈｙ（ｂ）、ｈｙ（ｂ−１）、・・・、ｈｙ（１）と、信号ライン群Ｌｖ（１，ｂ）〜Ｌｖ（ａ，ｂ）における縦信号ラインｖｙ（１）とを介して制御部１００の接続端子ｙ（ｂ）が接続される。
【０１２０】
即ち、ａ段目のメールボックス１２（ａ，１）〜１２（ａ，ｎ）の回路部１０６（ａ，１）〜１０６（ａ，ｎ）の一方の端子には制御部１００の接続端子ｘ（ａ）が接続され、ｂ列目のメールボックス１２（１，ｂ）〜１２（ｍ，ｂ）の回路部１０６（１，ｂ）〜１０６（ｍ，ｂ）の他方の端子には制御部１００の接続端子ｙ（ｂ）が接続されたマトリクス配線が構成されている。
【０１２１】
したがって、上述のように制御部１００は接続端子ｘ（１）〜ｘ（Ｍ）のうちの接続端子ｘ（ａ）と、接続端子ｙ（１）〜ｙ（Ｎ）のうちの接続端子ｙ（ｂ）との間にのみ電位差を生じさせることにより、メールボックス１２（ａ，ｂ）の回路部１０６（ａ，ｂ）に対してのみ電圧を供給し、メールボックス１２（ａ，ｂ）の解錠等の制御を個別に行うことができる。
【０１２２】
以上、上記実施の形態では、メールボックス１２を制御するシステムについて説明したが、本発明は、メールボックスに限らず、開閉可能な扉と扉の施解錠を行う電気錠等を有する宅配ボックスやプライベートボックスなどの任意の種類の収容ボックスであっても良く、その電気錠の制御等を行うシステムに適用できる。
【符号の説明】
【０１２３】
Ｌｈ、Ｌｖ…信号ライン群、ｘ（１）〜ｘ（Ｍ）、ｙ（１）〜ｙ（Ｎ）、ｃｘ（１）〜ｃｘ（Ｍ）、ｃｙ（１）〜ｃｙ（Ｎ）、ｄｘ（１）〜ｄｘ（Ｍ）、ｄｙ（１）〜ｄｙ（Ｎ）、ｅｘ（１）〜ｅｘ（Ｍ）、ｅｙ（１）、ｐｘ（１）〜ｐｘ（Ｍ）、ｐｙ（１）、ｑｘ（１）〜ｑｘ（Ｍ）、ｑｙ（１）、ｒｘ（１）、ｒｙ（１）…接続端子、ｈｘ（１）〜（Ｍ）…横信号ライン、ｈｙ（１）〜ｈｙ（Ｎ）…縦信号ライン、ｉｘ（１）〜ｉｘ（Ｍ）、ｉｙ（１）〜ｉｙ（Ｎ）、ｊｘ（１）〜ｊ（Ｍ）、ｆｘ（１）〜ｆｘ（Ｍ）、ｆｙ（１）、ｇｙ（１）…信号ライン、ｃ、ｄ、ｅ、ｐ、ｑ、ｒ…端子部、１０…メールボックスシステム、１２…メールボックス、１４…中継ボックス、１６…制御ボックス、２０…ボックス本体、２４…扉、２６…投函口、３０、５０…入力コネクタ、３２、５２、９０…出力コネクタ、３４、５４、６２、９２…位置決めピン、３６、５６…位置決め穴、６０…分岐コネクタ、８０…操作パネル、８２…ＩＣカードリーダ、１００…制御部、１０２…横中継基板、１０４…縦中継基板、１０６…回路部
【図１】
2019081045.tif 000003
【図２】
2019081045.tif 000004
【図３】
2019081045.tif 000005
【図４】
2019081045.tif 000006
【図５】
2019081045.tif 000007
【図６】
2019081045.tif 000008
【図７】
2019081045.tif 000009
【図８】
2019081045.tif 000010
【図９】
2019081045.tif 000011
【図１０】
2019081045.tif 000012
【図１１】
2019081045.tif 000013
【図１２】
2019081045.tif 000014
【図１３】
2019081045.tif 000015